【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群、正の屈折力の第３レンズ群、正の屈折力の第４レンズ群より構成され、広角端から望遠端へのズーミングに際し、前記第１レンズ群は像側へ凸状の軌跡で移動し、前記第３レンズ群は物体側に移動し、ズーミングに際して隣り合うレンズ群の間隔が変化するズームレンズであって、
前記第１レンズ群は、物体側から像側へ順に、負の屈折力の第１レンズ、正の屈折力の第２レンズ、正の屈折力の第３レンズを有し、前記第１レンズと前記第２レンズとの間隔をｄ１２、広角端における全系の焦点距離をｆｗ、前記第１レンズ群に含まれる正レンズの材料のうち、屈折率が最も低い材料の屈折率をＮｐとするとき、
０．００５＜ｄ１２／ｆｗ＜０．０５０
１．６７＜Ｎｐ＜２．０２
なる条件式を満足することを特徴とするズームレンズ
【請求項２】
前記第１レンズ群の最も物体側のレンズ面から前記第１レンズ群の最も像側のレンズ面までの光軸上の距離をＴ１とするとき、
０．３＜Ｔ１／ｆｗ＜１．０
なる条件式を満足することを特徴とする請求項１に記載のズームレンズ。
【請求項３】
前記第２レンズと前記第３レンズとの間隔をｄ２３とするとき、
０．７＜ｄ１２／ｄ２３＜１０．０
なる条件式を満足することを特徴とする請求項１又は２に記載のズームレンズ。
【請求項４】
広角端から望遠端へのズーミングにおける前記第１レンズ群の光軸方向の移動量をｍ１、望遠端における全系の焦点距離をｆｔとするとき、
−０．５＜ｍ１／ｆｔ＜−０．２
なる条件式を満足することを特徴とする請求項１乃至３のいずれか１項に記載のズームレンズ。
【請求項５】
前記第３レンズ群の像側に開口絞りを有することを特徴とする請求項１乃至４のいずれか１項に記載のズームレンズ。
【請求項６】
広角端における前記開口絞りと像面との距離をＤｓとするとき、
１．０＜Ｄｓ／ｆｗ＜２．０
なる条件式を満足することを特徴とする請求項５に記載のズームレンズ。
【請求項７】
望遠端における全系の焦点距離をｆｔ、望遠端における前記第２レンズ群と前記第３レンズ群の間隔をＤ２３ｔとするとき、
０．００６＜Ｄ２３ｔ／ｆｔ＜０．０３０
なる条件式を満足することを特徴とする請求項１乃至６のいずれか１項に記載のズームレンズ。
【請求項８】
前記第１レンズと前記第２レンズによって形成される空気レンズの屈折力をｆａｉｒとするとき、
−９０００＜ｆａｉｒ／ｄ１２＜−１５０
なる条件式を満足することを特徴とする請求項１乃至７のいずれか１項に記載のズームレンズ。
【請求項９】
請求項１乃至８のいずれか１項に記載のズームレンズと、該ズームレンズによって形成される像を受光する固体撮像素子を有することを特徴とする撮像装置。
【請求項１０】
広角端において前記固体撮像素子に形成される画像記録領域と、望遠端において前記固体撮像素子に形成される画像記録領域が異なることを特徴とする請求項９に記載の撮像装置。
【手続補正２】
【補正対象書類名】明細書
【補正対象項目名】００１４
【補正方法】変更
【補正の内容】
【００１４】
本発明のズームレンズは、物体側から像側へ順に、正の屈折力の第１レンズ群、負の屈折力の第２レンズ群、正の屈折力の第３レンズ群、正の屈折力の第４レンズ群より構成され、広角端から望遠端へのズーミングに際し、前記第１レンズ群は像側へ凸状の軌跡で移動し、前記第３レンズ群は物体側に移動し、ズーミングに際して隣り合うレンズ群の間隔が変化するズームレンズであって、
前記第１レンズ群は、物体側から像側へ順に、負の屈折力の第１レンズ、正の屈折力の第２レンズ、正の屈折力の第３レンズを有し、前記第１レンズと前記第２レンズとの間隔をｄ１２、広角端における全系の焦点距離をｆｗ、前記第１レンズ群に含まれる正レンズの材料のうち、屈折率が最も低い材料の屈折率をＮｐとするとき、
０．００５＜ｄ１２／ｆｗ＜０．０５０
１．６７＜Ｎｐ＜２．０２
なる条件式を満足することを特徴としている。
【手続補正３】
【補正対象書類名】明細書
【補正対象項目名】００１７
【補正方法】変更
【補正の内容】
【００１７】
以下に、本発明の好ましい実施の形態を、添付の図面に基づいて詳細に説明する。本発明のズームレンズは、物体側から像側へ順に、正の屈折力の第１レンズ群、負の屈折力の第２レンズ群、正の屈折力の第３レンズ群、正の屈折力の第４レンズ群より構成されている。広角端から望遠端へのズーミングに際し、第１レンズ群と第２レンズ群は像側へ凸状の軌跡で移動し、第３レンズ群は物体側に移動する。また第４レンズ群も非直線的に移動する。ズーミングに際して隣り合うレンズ群の間隔が変化する。
【手続補正４】
【補正対象書類名】明細書
【補正対象項目名】００３２
【補正方法】変更
【補正の内容】
【００３２】
各実施例において第１レンズ群Ｌ１は物体側から像側へ順に、負の屈折力の第１レンズ、正の屈折力の第２レンズ、正の屈折力の第３レンズを有している。第１レンズと第２レンズとの間隔をｄ１２、広角端における全系の焦点距離をｆｗとする。第１レンズ群Ｌ１に含まれる正レンズの材料のうち、屈折率が最も低い材料の屈折率をＮｐとする。このとき、
０．００５＜ｄ１２／ｆｗ＜０．０５０        ・・・（１）
１．６７＜Ｎｐ＜２．０２                  ・・・（２）
なる条件式を満足している。
【手続補正５】
【補正対象書類名】明細書
【補正対象項目名】００６１
【補正方法】変更
【補正の内容】
【００６１】
［数値実施例１］
単位 mm
面データ
面番号       r        d      nd         νd
1        218.267    1.70   1.84666    23.9           
2         78.618    0.34                             
3         91.879    2.40   1.69680    55.5           
4        695.796    0.15                             
5         45.705    2.80   1.77250    49.6           
6        240.673  (可変)                             
7*       500.720    1.30   1.85135    40.1           
8*        14.331    5.29                             
9        -74.641    1.00   1.77250    49.6           
10         54.944    0.15                             
11         22.877    2.20   1.92286    18.9           
12         66.178  (可変)                             
13*        14.293    2.45   1.84954    40.1           
14*       195.351    0.15                             
15         11.741    3.70   1.77250    49.6           
16       -100.967    0.50   1.80518    25.4           
17          7.091    1.40                             
18       -177.768    1.70   1.48749    70.2           
19        -30.778    1.00                             
20          ∞     (可変)                   (絞り)          
21          ∞     (可変)                   (フレアーカット絞り)        
22        428.830    4.40   1.69350    53.2           
23*       -34.989  (可変)                             
24          ∞       1.56   1.51633    64.1           
25          ∞       1.78                            
像面        ∞   
非球面データ
第7面
K =-8.84556e+003  A 4= 8.00299e-006  A 6=-3.16834e-008  A 8= 5.90488e-011  
第8面
K = 2.32817e-001  A 4=-3.41924e-006  A 6= 1.27878e-007  A 8=-1.02659e-009  A10=
1.45962e-012  
第13面
K =-2.85206e-004  A 4=-2.69579e-005  A 6=-2.39976e-007  A 8= 5.11410e-009  A10=
-6.28897e-011
第14面
K =-3.28791e+002  A 4= 8.60496e-006  A 6=-8.10877e-008  A 8= 7.39234e-010  
第23面
K =-1.09602e+000  A 4=-1.03709e-005  A 6=-4.05485e-008  A 8= 3.58272e-010  A10=
-7.41890e-013  
各種データ
ズーム比      3.83 
広角     中間     望遠
焦点距離      15.40    29.40    58.99  
Fナンバー      2.88     4.58     5.94  
半画角（度）  33.87    21.48    11.26  
像高          10.34    11.57    11.75  
レンズ全長    74.48    76.73    94.27  
BF             8.21     7.80     7.81  
d 6            1.10     4.57    18.67  
d12           20.81     8.26     0.73  
d20            0.50     2.79     0.81  
d21           11.23    20.69    33.63  
d23            5.41     4.99     5.01  
ズームレンズ群データ
群  始面    焦点距離  
1    1      74.24  
2    7     -18.26  
3   13      20.21  
4   21       ∞    
5   22      46.83  
6   24       ∞    
【手続補正６】
【補正対象書類名】明細書
【補正対象項目名】００６２
【補正方法】変更
【補正の内容】
【００６２】
[数値実施例２］
単位 mm
面データ
面番号       r        d      nd         νd
1        194.535    1.70   1.84666    23.9           
2         67.437    0.47                             
3         84.543    2.30   1.77250    49.6           
4        942.123    0.15                             
5         43.809    2.80   1.77250    49.6           
6        270.300  (可変)                             
7*       803.525    1.30   1.85135    40.1           
8*        14.766    5.84                             
9        -51.416    1.00   1.69680    55.5           
10         61.434    0.15                             
11         23.892    2.19   1.94595    18.0           
12         59.994  (可変)                             
13*        14.288    2.45   1.84954    40.1           
14*       167.988    0.15                             
15         11.505    3.50   1.77250    49.6           
16       -158.407    0.50   1.80518    25.4           
17          7.102    1.66                             
18       -787.928    1.50   1.48749    70.2           
19        -37.140    1.00                             
20          ∞     (可変)                   (絞り)          
21          ∞     (可変)                   (フレアーカット絞り)        
22        149.305    4.40   1.58313    59.4           
23*       -32.679  (可変)                             
24          ∞       1.60   1.51633    64.1           
25          ∞       1.60                             
像面        ∞   
非球面データ
第7面
K =-3.55520e+003  A 4= 3.96781e-006  A 6=-7.61401e-009  
第8面
K = 1.85296e-001  A 4= 2.96876e-006  A 6= 9.37786e-008  A 8=-5.50190e-010  A10=
3.59100e-012  
第13面
K =-4.35412e-001  A 4=-5.94557e-006  A 6= 1.25897e-007  A 8=-6.81003e-010  A10=
6.15497e-011  
第14面
K = 1.10502e+002  A 4= 4.76420e-006  A 6=-1.87289e-008  A 8= 4.49787e-009  
第23面
K = 1.42856e+000  A 4= 1.36245e-006  A 6=-1.07968e-007  A 8= 9.40144e-010  A10=
-2.01915e-012  
各種データ
ズーム比      3.82 
広角     中間     望遠
焦点距離      15.43    29.20    59.00  
Fナンバー      2.88     4.57     5.94  
半画角（度）  33.82    21.61    11.26  
像高          10.34    11.57    11.75  
レンズ全長    74.58    78.97    94.64  
BF             9.42     7.58     7.87  
d 6            0.95     5.27    15.95  
d12           20.14     9.22     1.20  
d20            0.50     2.40     0.03  
d21           10.50    21.44    36.52  
d23            6.77     4.92     5.22  
ズームレンズ群データ
群  始面    焦点距離  
1    1      66.67  
2    7     -17.32  
3   13      20.49  
4   21       ∞    
5   22      46.39  
6   24       ∞    
【手続補正７】
【補正対象書類名】明細書
【補正対象項目名】００６３
【補正方法】変更
【補正の内容】
【００６３】
［数値実施例３］
単位 mm
面データ
面番号       r        d      nd         νd
1        300.187    1.70   1.84666    23.9           
2         82.000    0.12                             
3         87.000    2.80   1.77250    49.6           
4       -566.162    0.15                             
5         48.774    2.40   1.77250    49.6           
6        167.526  (可変)                             
7*       537.928    1.30   1.84954    40.1           
8*        15.093    5.39                             
9        -48.852    0.90   1.69680    55.5           
10         72.771    0.15                             
11         23.669    2.20   1.94595    18.0           
12         54.870  (可変)                             
13*        14.287    2.60   1.84954    40.1           
14*       140.012    0.15                             
15         11.926    3.60   1.77250    49.6           
16       -157.866    0.50   1.80518    25.5           
17          7.261    1.60                             
18       -233.033    1.70   1.59282    68.6           
19        -32.336    1.07                             
20          ∞     (可変)                   (絞り)          
21          ∞     (可変)                   (フレアーカット絞り)        
22        962.619    4.40   1.69350    53.2           
23*       -35.905  (可変)                             
24          ∞       3.25   1.51633    64.1           
25          ∞       2.28                             
像面        ∞   
非球面データ
第7面
K =-1.96712e+003  A 4= 1.56634e-006  A 6=-2.85082e-009  
第8面
K = 4.39249e-002  A 4= 6.18877e-006  A 6= 1.10403e-007  A 8=-5.35382e-010  A10=
5.77480e-012  
第13面
K =-7.84128e-001  A 4= 8.48751e-006  A 6=-3.57373e-007  A 8= 7.93069e-009  A10=
-2.03928e-010  
第14面
K =-1.97472e+002  A 4= 1.20159e-005  A 6=-1.42408e-007  A 8=-7.66982e-009  
第23面
K =-2.36065e+000  A 4=-1.42384e-005  A 6=-1.05254e-007  A 8= 9.12861e-010  A10=
-2.34000e-012  
各種データ
ズーム比      3.81 
広角     中間     望遠
焦点距離      15.64    30.65    59.57  
Fナンバー      2.88     4.58     5.94  
半画角（度）  33.46    20.68    11.16  
像高          10.34    11.57    11.75  
レンズ全長    74.05    78.87    94.16  
BF             9.83    11.15     9.42  
d 6            1.00     7.62    19.81  
d12           20.08     7.49     0.70  
d20            0.50     5.63     1.18  
d21            9.92    14.25    30.32  
d23            5.41     6.73     5.00  
d25            2.28     2.28     2.28  
ズームレンズ群データ
群  始面    焦点距離  
1    1      71.23  
2    7     -17.89  
3   13      20.34  
4   21       ∞    
5   22      50.00  
6   24       ∞    
【手続補正８】
【補正対象書類名】明細書
【補正対象項目名】００６４
【補正方法】変更
【補正の内容】
【００６４】
［数値実施例４］
単位 mm
面データ
面番号       r        d      nd         νd
1        257.708    1.70   1.84666    23.9           
2         78.524    0.42                             
3        100.224    2.30   1.69680    55.5           
4      -1848.888    0.15                             
5         45.061    2.90   1.77250    49.6           
6        253.867  (可変)                             
7*       426.612    1.30   1.85135    40.1           
8*        14.644    5.29                             
9        -67.927    1.00   1.77250    49.6           
10         54.445    0.15                             
11         22.994    2.55   1.92286    18.9           
12         67.427  (可変)                             
13*        14.237    2.60   1.84954    40.1           
14*       182.280    0.15                             
15         10.892    3.00   1.77250    49.6           
16        307.386    0.60   1.80518    25.4           
17          6.914    1.75                             
18       -427.643    1.70   1.48749    70.2           
19        -40.597    1.00                             
20(絞り)    ∞     (可変)                             
21        515.350    4.40   1.58313    59.4           
22*       -27.443  (可変)                             
23          ∞       1.56   1.51633    64.1           
24          ∞       1.56                             
像面        ∞   
非球面データ
第7面
K =-9.92306e+003  A 4= 5.32644e-006  A 6=-2.24579e-008  A 8= 5.90488e-011  
第8面
K = 1.87034e-001  A 4=-8.10318e-006  A 6= 2.62959e-007  A 8=-2.74956e-009  A10=
1.36190e-011  
第13面
K =-2.29599e-001  A 4=-2.19651e-005  A 6=-1.60274e-007  A 8= 8.38039e-010  A10=
-1.30242e-010  
第14面
K = 4.80661e+001  A 4=-7.13403e-006  A 6=-3.77287e-008  A 8=-5.23381e-009  A10=
-4.54059e-011  
第22面
K =-7.99912e+000  A 4=-4.30088e-005  A 6= 5.11595e-008  A 8= 4.13624e-010  A10=
-1.51765e-012  
各種データ
ズーム比      3.79 
広角     中間     望遠
焦点距離      15.57    30.33    58.93  
Fナンバー      2.88     4.58     5.94  
半画角（度）  33.60    20.88    11.28  
像高          10.34    11.57    11.75  
レンズ全長    74.82    79.54    94.40  
BF             9.41     7.95     7.58  
d 6            1.00     6.55    17.05  
d12           20.46     8.58     0.90  
d20           11.00    23.50    35.91  
d22            6.82     5.36     5.00  
ズームレンズ群データ
群  始面    焦点距離  
1    1      71.11  
2    7     -18.28  
3   13      20.73  
4   21      44.82  
5   23       ∞